(57)【特許請求の範囲】
【請求項１】
画像形成装置本体のカセット挿入部に対し挿入および引き出し可能であり、シート状の記録媒体を収容するカセット本体と、
該カセット本体の挿入方向上流側に設けられ前記画像形成装置の外装部材の一部を構成するカセットカバーと、
前記カセット本体を前記カセット挿入部に挿入された状態でロックするロック機構と、
を備えたシート収納カセットにおいて、
前記ロック機構は、前記カセットカバーの裏面側に揺動可能に設けられ、前記カセット挿入部側に設けられた係止ピンに係合可能なロック部材と、該ロック部材を前記係止ピンに係合する方向に付勢する付勢部材と、を有し、
前記カセット挿入部への挿入操作に伴い、前記付勢部材の付勢力により前記ロック部材と前記係止ピンとが係合し、
前記カセット挿入部に挿入された状態で、前記カセットカバーと前記カセットカバーの下方に隣接して配置される前記外装部材との隙間に薄板状の解除部材を差し込むことにより前記付勢部材の付勢力に抗して前記ロック部材が揺動し、前記係止ピンとの係合状態が解除され、
前記ロック部材は、前記カセットカバーに固定された支軸が挿入される円筒状の本体部と、該本体部の上方から径方向に突出する前記係止ピンに係合可能なフック部と、前記本体部の下方から前記フック部と反対方向に突出するとともに下方に屈曲する押圧部と、を有し、前記支軸を中心として水平方向に揺動可能であり、
前記カセット挿入部に挿入された状態では、前記ロック部材は前記付勢部材の付勢力によって前記フック部が前記係止ピンに係合する係合位置に配置されており、
前記隙間への前記解除部材の挿入により前記押圧部が押圧されることで、前記ロック部材が前記付勢部材の付勢力に抗して揺動し、前記フック部と前記係止ピンとの係合が解除される解除位置に配置されることを特徴とするシート収納カセット。
【請求項２】
前記フック部には、前記カセット挿入部に挿入する際に前記係止ピンに当接する部分に第１傾斜部が形成されることを特徴とする請求項１に記載のシート収納カセット。
【請求項３】
前記ロック部材は前記支軸に沿って上下方向に移動可能であり、前記付勢部材は前記ロック部材を下方向に付勢しており、
前記カセット挿入部への挿入操作に伴い、前記ロック部材が前記付勢部材の付勢力に抗して上方に移動しながら前記外装部材の上端部を乗り越え、前記シート収納カセットが前記カセット挿入部に挿入された状態で前記押圧部の下端部が前記外装部材の上端部よりも下方に配置されることを特徴とする請求項１又は請求項２に記載のシート収納カセット。
【請求項４】
前記押圧部には、前記カセット挿入部に挿入する際に前記外装部材の上端部と接触する部分に第２傾斜部が形成されることを特徴とする請求項３に記載のシート収納カセット。
【請求項５】
前記カセットカバーには、前記カセットカバーの上方に隣接して配置される他のシート収納カセットを前記カセット挿入部から引き出す際に、前記他のシート収納カセットに設けられた前記ロック部材の前記押圧部と接触する部分に傾斜面が形成されることを特徴とする請求項３又は請求項４に記載のシート収納カセット。
【請求項６】
請求項１乃至請求項５のいずれかに記載のシート収納カセットを備えた画像形成装置。
【発明の詳細な説明】
【技術分野】
【０００１】
本発明は、シート状の記録媒体を予め多数枚ストックしておくために用いられるシート収納カセット、及びそれを備えた画像形成装置に関し、特にシート収納カセットを画像形成装置本体にロックする機構に関する。
【背景技術】
【０００２】
給紙カセット（シート収納カセット）は、複写機やプリンターのような画像形成装置において、カットペーパー等の給紙用として用いられる。この給紙カセットは、印字前の用紙を予め多数枚ストックしておき、給紙カセットの近傍に設けられた給紙ユニットによりカセット内に積み上げられた用紙束の最上層から１枚ずつ用紙を分離して供給する。
【０００３】
ところで、画像形成装置内の給紙カセットにストックされた用紙が盗難に遭うことがある。そこで、給紙カセットのロック機構を備えた画像形成装置が提案されている。
【０００４】
例えば特許文献１には、給紙カセットをロックする錠前を本体フレームの背面側に配置することで、デザイン性を損ねることなく、且つ、窃盗犯には給紙カセットが引き出せない原因を瞬時に理解できないようにした画像形成装置が開示されている。
【先行技術文献】
【特許文献】
【０００５】
【特許文献１】特開２００７−２９７１７０号公報
【発明の概要】
【発明が解決しようとする課題】
【０００６】
特許文献１の構成では、錠前を解除するための専用のキーが必要であるため、キーを紛失した場合やキーを所持していないユーザーは給紙カセットを引き出せないという問題点があった。また、キーを錠前に差し込んでロックを解除する必要があり、操作が煩雑であった。さらに、鍵部分が画像形成装置本体から突出しているため、設置スペースが大きくなるという不具合もあった。
【０００７】
本発明は上記問題点に鑑み、専用キーを使用することなく簡易な構成で画像形成装置本体にロックすることができ、且つ、ロックを解除する操作に気付きにくいシート収納カセット及びそれを備えた画像形成装置を提供することを目的とする。
【課題を解決するための手段】
【０００８】
上記目的を達成するために本発明の第１の構成は、カセット本体と、カセットカバーと、ロック機構と、を備えたシート収納カセットである。カセット本体は、画像形成装置本体のカセット挿入部に対し挿入および引き出し可能であり、シート状の記録媒体を収容する。カセットカバーは、カセット本体の挿入方向上流側に設けられ画像形成装置の外装部材の一部を構成する。ロック機構は、カセット本体をカセット挿入部に挿入された状態でロックする。ロック機構は、カセットカバーの裏面側に揺動可能に設けられ、カセット挿入部側に設けられた係止ピンに係合可能なロック部材と、ロック部材を係止ピンに係合する方向に付勢する付勢部材と、を有する。カセット挿入部への挿入操作に伴い、付勢部材の付勢力によりロック部材と係止ピンとが係合する。カセット挿入部に挿入された状態で、カセットカバーとカセットカバーの下方に隣接して配置される外装部材との隙間に薄板状の解除部材を差し込むことにより付勢部材の付勢力に抗してロック部材が揺動し、係止ピンとの係合状態が解除される。
【発明の効果】
【０００９】
本発明の第１の構成によれば、シート収納カセットをカセット挿入部に挿入するだけでシート収納カセットの引き出しが規制（ロック）されるため、シート収納カセットをロックするための錠前等を設ける必要がなく、ロックするための操作も不要となる。また、シート収納カセットのロック状態を解除する解除部材は、カセットカバーと外装部材との隙間に挿入可能な薄板状の部材であれば良く、専用のキーを必要としない。そのため、解除部材を紛失した場合や解除部材を持っていないユーザーであっても、薄板状の部材を隙間に差し込むだけでシート収納カセットを引き出すことができ、利便性が向上する。また、ロック機構は外部から視認できず、ロック機構の存在に気付き難いため、窃盗犯によりシート収納カセットが引き出されるおそれもなくなる。さらに、画像形成装置の外観を損ねるおそれもなくデザイン性も向上する。
【図面の簡単な説明】
【００１０】
【図１】本発明の一実施形態に係る画像形成装置１００の内部構造を示す側面断面図
【図２】本実施形態の画像形成装置１００に装着される給紙カセット１ａ及び給紙ユニット１１７ａを前面側上方から見た斜視図
【図３】カセットカバー３の裏面側の一端（図２の破線円Ｓ内）に設けられたロック部材３１周辺の構成を示す部分斜視図
【図４】画像形成装置１００本体側のユニット支持フレーム１１８に設けられた係止ピン４０の拡大斜視図
【図５】ロック部材３１の斜視図
【図６】給紙カセット１ａをカセット式給紙部１０１に挿入した状態におけるロック機構３０の側面断面図
【図７】給紙カセット１ａと給紙カセット１ｂのカセットカバー３の隙間Ｇに解除部材５０を差し込んだ状態を示す部分斜視図
【図８】解除部材５０の端縁が押圧部３１ｃを押圧する様子を示す拡大図
【図９】解除部材５０を差し込むことによりロック部材３１が支軸３５を中心として揺動する様子を示す平面図
【図１０】解除部材５０を差し込んだ状態で給紙カセット１ａの引き出し操作を行う様子を示す斜視図
【発明を実施するための形態】
【００１１】
以下、図面を参照しながら本発明の実施形態について詳細に説明する。図１は、本発明の一実施形態に係る画像形成装置１００の内部構造を示す側面断面図である。なお、図中の実線矢印は用紙Ｐの搬送経路、及び搬送方向を示す。
【００１２】
図１において、画像形成装置１００の下部には、カセット式給紙部１０１が配置されている。カセット式給紙部１０１には、２つの給紙カセット１ａ、１ｂが備えられている。この給紙カセット１ａ、１ｂの内部に、印字前のカットペーパー等の用紙Ｐの束が積載して収容され、画像形成装置１００本体に備えられた給紙ユニット１１７ａ、１１７ｂにより用紙Ｐの束から用紙Ｐが１枚ずつ分離して送り出される。給紙ユニット１１７ａは、給紙カセット１ａに対応して設けられたピックアップローラー２９ａと給紙ローラー対３０ａを有する。給紙ユニット１１７ｂは、給紙カセット１ｂに対応して設けられたピックアップローラー２９ｂと給紙ローラー対３０ｂを有する。給紙ユニット１１７ａ、１１７ｂは、それぞれピックアップローラー２９ａ及びフィードローラー３０ａ、ピックアップローラー２９ｂ及びフィードローラー３０ｂを回転可能に保持するローラーホルダー３１（図５参照）を備えている。
【００１３】
手差し給紙部１０２は、画像形成装置１００の右側面上部の外部に備えられている。手差し給紙部１０２には、カセット式給紙部１０１と異なるサイズや厚みの用紙や、ＯＨＰシート、封筒、葉書き、送り状等のように１枚ずつ送り込まれるものが載置される。
【００１４】
画像形成装置１００内には用紙搬送部１０３が配置されている。用紙搬送部１０３は、カセット式給紙部１０１に対し、給紙方向下流側である右方に位置し、手差し給紙部１０２に対し、給紙方向下流側である左方に位置する。カセット式給紙部１０１から送り出された用紙Ｐは、用紙搬送部１０３により画像形成装置１００本体の側面に沿って垂直上方に搬送され、手差し給紙部１０２から送り出された用紙Ｐは水平に搬送される。
【００１５】
画像形成装置１００の上面には原稿搬送装置１０４が配置され、その下方には画像読取部１０５が配置されている。使用者が原稿の複写を行う場合には、原稿搬送装置１０４に複数枚の原稿を積載する。原稿搬送装置１０４では原稿が１枚ずつ分離して送り出され、画像読取部１０５によってその画像データが読み取られる。
【００１６】
用紙搬送部１０３の用紙搬送方向下流側であって、画像読取部１０５の下方には、画像形成部１０６、及び転写部１０７が配置されている。画像形成部１０６では、画像読取部１０５によって読み取られた画像データに基づいて原稿画像の静電潜像が形成され、この静電潜像が現像されてトナー像が形成される。一方、画像形成部１０６におけるトナー像の形成タイミングと同期をとってカセット式給紙部１０１または手差し給紙部１０２から用紙搬送部１０３を介して用紙Ｐが転写部１０７に搬送される。画像形成部１０６において形成されたトナー像は、転写部１０７において用紙Ｐ上に転写される。
【００１７】
転写部１０７の下流側には、定着部１０８が配置されている。転写部１０７においてトナー像が転写された用紙Ｐは、定着部１０８へと搬送され、加熱ローラー及び加圧ローラーから成る定着ローラー対のニップ部を通過することにより、用紙Ｐ上のトナー像が定着されて永久像とされる。定着部１０８から排出された用紙Ｐは、画像形成装置１００の左側面外側に設けられた用紙排出トレイ１１１に排出される。
【００１８】
次に、画像形成装置１００に着脱可能に用いられる給紙カセット１ａの詳細な構成について、図１に加えて、図２を用いて説明する。図２は、給紙カセット１ａ及びユニット支持フレーム１１８を前面側上方から見た外観斜視図である。なお、ここでは給紙カセット１ａの構成について説明するが、給紙カセット１ｂについても全く同様の構成である。
【００１９】
図２において、給紙カセット１ａは、図１に示す画像形成装置１００のカセット式給紙部１０１に収容されるものである。カセット本体１０は、底面の四方の周縁部に壁部が立設されて上面が開口した平坦な箱状に構成され、その上面方向から用紙Ｐの束（図１参照）を積載して収容する。画像形成装置１００内部において、給紙カセット１ａの上方であって給紙方向下流側（図２の右側）に位置する壁部の外側には、カセット式給紙部１０１を構成するユニット支持フレーム１１８が配置されている。用紙Ｐの束から１枚ずつ分離された用紙Ｐは、ユニット支持フレーム１１８に支持された給紙ユニット１１７ａ（図１参照）によって図２の矢印Ｂ方向に供給される。カセット本体１０の前面部（挿入方向上流側）にはカセットカバー３が一体成形され、このカセットカバー３が画像形成装置１００の前面下部のハウジングの一部を構成する。また、カセットカバー３の中央部には、給紙カセット１ａの着脱時にユーザーが把持する把持部３ａが設けられている。
【００２０】
給紙カセット１ａの挿入または引き出し方向（矢印ＡＡ′方向）に対し平行な壁部の外側には一対のガイドレール１１が付設されている。画像形成装置１００本体側にはガイドレール１１を摺動可能に支持する一対のレール支持部（図示せず）が設けられており、ガイドレール１１をレール支持部に沿って摺動させることで、給紙カセット１ａは画像形成装置１００に対し挿入及び引き出し可能となっている。
【００２１】
カセット本体１０の底面内側には、用紙Ｐの束が積載されるシート積載板２０と、給紙方向（矢印Ｂ方向）に沿って立設された一対の幅規制カーソル２１とが備えられている。幅規制カーソル２１は、給紙方向と直角をなす用紙幅方向（図２の矢印ＡＡ′方向）の両側から用紙Ｐの束の側面に当接し、用紙Ｐの束が給紙ユニット１１７ａにより給紙される給紙位置に位置するように、用紙Ｐの束の幅方向の位置決めを行う。幅規制カーソル２１は、カセット本体１０の底面内側に設けられた用紙幅方向に延在するカーソル移動溝（図示せず）に沿って移動可能である。なお、用紙幅方向の両側から用紙Ｐの束の側面に当接する一対の幅規制カーソル２１は、それらの下方に設けられた図示しない連動機構により、一方を移動させると、それに連動して他方も移動するようになっている。このとき、一対の幅規制カーソル２１は、用紙Ｐの束の幅方向中心線に対して、左右対称に移動する。
【００２２】
カセット本体１０の内部の給紙方向上流側には、後端規制カーソル２３が備えられている。後端規制カーソル２３は、給紙方向上流側から用紙Ｐの束の側面に当接し、給紙ユニット１１７ａにより用紙Ｐの束から用紙が１枚ずつ分離されて給紙される給紙位置に位置するように、用紙Ｐの束の給紙方向（図２の矢印Ｂ方向）の位置決めを行う。後端規制カーソル２３は、カセット本体１０の底面内側に設けられた給紙方向に延在するカーソル移動溝（図示せず）に沿って移動可能である。
【００２３】
また、給紙カセット１ａは、給紙カセット１ａをカセット式給紙部１０１（図１参照）にロックするためのロック機構３０を備えている。以下、ロック機構３０について詳細に説明する。図３は、カセットカバー３の裏面側の一端（図２の破線円Ｓ内）に設けられたロック部材３１周辺の構成を示す部分斜視図である。図４は、ユニット支持フレーム１１８（カセット式給紙部１０１側）に設けられた係止ピン４０の拡大斜視図である。図５は、ロック部材３１の斜視図である。図６は、給紙カセット１ａをカセット式給紙部１０１に挿入した状態におけるロック機構３０の側面断面図である。
【００２４】
カセットカバー３の裏面側の一端には、ロック部材３１が装着されている。ロック部材３１は、カセットカバー３の支持部３３ａ、３３ｂに固定された支軸３５に揺動可能に支持されている。図５に示すように、ロック部材３１は、支軸３５が挿入される第１貫通孔３２ａが形成された円筒状の本体部３１ａと、本体部３１ａの上端から径方向に突出するフック部３１ｂと、本体部３１ａの下端からフック部３１ｂと反対方向に突出するとともに下方に屈曲する押圧部３１ｃと、本体部３１ａと押圧部３１ｃとを連結する側面視コ字状のクランク部３１ｄとを有する。クランク部３１ｄには、本体部３１ａの第１貫通孔３２ａと同軸上に第２貫通孔３２ｂが形成されている。
【００２５】
図６に示すように、ロック部材３１の本体部３１ａは支持部３３ａ、３３ｂに上下方向から挟まれた状態で支軸３５に摺動可能に支持されている。クランク部３１ｄは支持部３３ｂの先端を回避するように配置されている。そして、支持部３３ｂから下方に突出する支軸３５の下端部がクランク部３１ｄの第２貫通孔３２ｂに挿入されている。また、本体部３１ａの上端部から支持部３３ａの下面までの距離ｄ１は、クランク部３１ｄの上面から支持部３３ｂの下面までの距離ｄ２と略同一となっている。これにより、ロック部材３１は支軸３５に対して距離ｄ１（ｄ２）だけ上下に移動可能となっている。
【００２６】
また、ロック部材３１にはつる巻きバネ３７が外挿されており、つる巻きバネ３７の一端側はロック部材３１に固定され、他端側は支持部３３に固定されている。ロック部材３１はつる巻きバネ３７によって一定方向（図３の反時計回り方向）に付勢されている。
【００２７】
図４に示すように、ユニット支持フレーム１１８には。ロック部材３１のフック部３１ｂが係合可能な係止ピン４０が設けられている。ロック部材３１、支軸３５、つる巻きバネ３７は、本発明のロック機構３０を構成する。
【００２８】
次に、ロック機構３０により給紙カセット１ａをロックする手順、及びロックを解除する手順について説明する。給紙カセット１ａをカセット式給紙部１０１に挿入していくと、カセットカバー３の裏面側に配置されたロック部材３１のフック部３１ｂが係止ピン４０に接近する。そして、フック部３１ｂの外側の第１傾斜部３１ｂａ（図５参照）が係止ピン４０に当接する。
【００２９】
給紙カセット１ａをさらに挿入していくと、係止ピン４０によって傾斜部３１ｂａが押圧され、ロック部材３１が図３の時計回り方向に揺動する。そして、挿入方向に対し傾斜部３１ｂａの上流側端部が係止ピン４０を通過すると、傾斜部３１ｂａへの押圧力が消失するため、ロック部材３１はつる巻きバネ３７の付勢力により図３の反時計回り方向に揺動し、フック部３１ｂが係止ピン４０に係合する位置（係合位置）に配置される。これにより、給紙カセット１ａが挿入状態でロックされ、カセット式給紙部１０１からの給紙カセット１ａの引き出しが規制される。
【００３０】
また、つる巻きバネバネ３７はロック部材３１を下方向にも付勢しており、図６に示すように、押圧部３１ｃの下端部は、給紙カセット１ａの下方に配置される給紙カセット１ｂのカセットカバー３の上端部よりも下方に配置されている。押圧部３１ｃには、給紙カセット１ａの挿入方向に対し下流側の側面に第２傾斜部３１ｃａが形成されている。給紙カセット１ａの挿入時に押圧部３１ｃが第２傾斜部３１ｃａに沿って給紙カセット１ｂのカセットカバー３に乗り上げることで、ロック部材３１がつる巻きバネ３７の付勢力に抗して上方に移動する。これにより、給紙カセット１ａを挿入する際のロック部材３１と給紙カセット１ｂとの干渉を回避することができる。
【００３１】
カセット式給紙部１０１から給紙カセット１ａを引き出す際は、図７に示すように、給紙カセット１ａと給紙カセット１ｂのカセットカバー３の隙間Ｇに、ロック機構３０が設けられたカセットカバー３の一端側（図２の右端側）からカード状（薄板状）の解除部材５０を差し込む。解除部材５０はロック機構３０を解除するための専用の部材ではなく、例えば社員証やＩＣカード等の、隙間Ｇに挿入可能な種々のカードを使用することができる。
【００３２】
そして、解除部材５０を矢印Ｃ方向にスライドさせることにより、図８に示すように解除部材５０の端縁が押圧部３１ｃを矢印Ｃ方向に押圧する。その結果、図９に示すように、ロック部材３１は支軸３５を中心として係合位置（破線で表示）から時計回り方向に揺動し、フック部３１ｂと係止ピン４０との係合が解除される解除位置（実線で表示）に配置される。
【００３３】
この状態で、図１０に示すように、把持部３ａを把持して給紙カセット１ａを矢印Ａ方向に力を加えることにより、カセット式給紙部１０１から給紙カセット１ａを引き出すことができる。
【００３４】
また、給紙カセット１ｂのカセットカバー３には、給紙カセット１ａの引き出し時に押圧部３１ｃが当接する位置に傾斜面３９が形成されている。給紙カセット１ａの引き出し時に押圧部３１ｃが傾斜面３９に沿って給紙カセット１ｂのカセットカバー３に乗り上げることで、ロック部材３１がつる巻きバネ３７の付勢力に抗して上方に移動する。これにより、給紙カセット１ａを引き出す際のロック部材３１と給紙カセット１ｂとの干渉を回避することができる。
【００３５】
本実施形態の構成によれば、カセット式給紙部１０１に給紙カセット１ａを挿入するだけで給紙カセット１ａの引き出しが規制（ロック）されるため、給紙カセット１ａをロックするための錠前等を設ける必要がなく、ロックするための操作も不要となる。また、給紙カセット１ａを引き出す際にロックを解除する解除部材５０は、隙間Ｇに挿入可能なカード状の部材であれば良く、専用のキーを必要としない。そのため、カード状の部材を隙間Ｇに差し込むだけで給紙カセット１ａを引き出すことができ、利便性が向上する。
【００３６】
また、ロック機構３０は外部から視認できず、ユーザー以外はロック機構３０に気付き難いため、窃盗犯により給紙カセット１ａが引き出されるおそれもなくなる。さらに、画像形成装置１００の外観を損ねるおそれもなくデザイン性も向上する。
【００３７】
また、ロック部材３１はつる巻きバネ３７によって下方向にも付勢されており、給紙カセット１ａが挿入された状態では押圧部３１ｃが給紙カセット１ｂのカセットカバー３の上面よりも下方まで延びている。これにより、隙間Ｇから解除部材５０を差し込んだとき、解除部材５０の端縁を押圧部３１ｃに確実に当接させることができる。
【００３８】
また、ロック部材３１の押圧部３１ｃに第２傾斜部３１ｃａを設けることにより、給紙カセット１ａの挿入時または引き出し時における押圧部３１ｃと給紙カセット１ｂのカセットカバー３との干渉を回避することができ、給紙カセット１ａの挿入または引き出し操作を円滑に行うことができる。
【００３９】
なお、本実施形態では、給紙カセット１ａのロック機構３０について説明したが、給紙カセット１ｂについても同様のロック機構３０を設けることができる。その場合、給紙カセット１ｂの下方に位置する外装カバー（図示せず）との隙間に解除部材５０を差し込んでロック機構３０を解除すれば良い。また、外装カバーに傾斜面３９を形成しておくことで、給紙カセット１ｂを引き出す際のロック部材３１と外装カバーとの干渉を回避することができる。
【００４０】
その他、本発明は上記実施形態に限定されるものではなく、本発明の趣旨を逸脱しない範囲で種々の変更が可能である。例えば、図１に示したような２つの給紙カセット１ａ、１ｂを備えた画像形成装置１００に限らず、１つの給紙カセットのみを備えた画像形成装置や、３つ以上の給紙カセットを備えた画像形成装置においても全く同様に適用できる。
【００４１】
また、本発明は図１に示したようなモノクロ複写機に限らず、モノクロ及びカラープリンター、カラー複写機、ファクシミリ等、給紙カセットを備えた種々の画像形成装置に適用可能である。
【産業上の利用可能性】
【００４２】
本発明は、画像形成装置に対して挿入および引き出し可能に装着されるシート収納カセットを備えた画像形成装置に利用可能である。本発明の利用により、専用キーを使用することなく簡易な構成でシート収納カセットをロックすることができ、且つ、ロックを解除する操作に気付きにくい画像形成装置を提供することができる。
【符号の説明】
【００４３】
１ａ、１ｂ          給紙カセット（シート収納カセット）
３                  カセットカバー
１０                カセット本体
３０                ロック機構
３１                ロック部材
３１ａ              本体部
３１ｂ              フック部
３１ｂａ            第１傾斜部
３１ｃ              押圧部
３１ｃａ            第２傾斜部
３１ｄ              クランク部
３２ａ              第１貫通孔
３２ｂ              第２貫通孔
３５                支軸
３７                つる巻きバネ（付勢部材）
３９                傾斜面
４０                係止ピン
５０                解除部材
１００              画像形成装置
１０１              カセット式給紙部（カセット挿入部）
【図１】
0006468229.tif 000002
【図２】
0006468229.tif 000003
【図３】
0006468229.tif 000004
【図４】
0006468229.tif 000005
【図５】
0006468229.tif 000006
【図６】
0006468229.tif 000007
【図７】
0006468229.tif 000008
【図８】
0006468229.tif 000009
【図９】
0006468229.tif 000010
【図１０】
0006468229.tif 000011